(57)【要約】　　　（修正有）【課題】固定する素材を誰でも簡単に取り付け外しできる面ファスナーにし、二枚の板でＣＤを挟む。ＣＤをカバーする板はポリプロピレンの透明なものにする。【解決手段】固定素材に面ファスナーを使用し、固定方法を二枚の透明板で挟み、外す・くっ付けるという単純作業でＣＤを保護し、かつ中身が一目瞭然であり、用途に合わせた数を持ち運べることを特徴としている。【選択図】　　　　図３
0003097631.tif 000002
【実用新案登録請求の範囲】
【請求項１】
ＣＤを固定する中心部にマジックテープを使用し、透明な板で挟み保護し、それをカードリングでいくつか綴ったＣＤフォルダー。
【考案の詳細な説明】
【０００１】
【考案の属する技術分野】
本考案は、ＣＤをマジックテープで固定すること、透明板で挟むことによって中のＣＤを一目でき、さらに単体で分割して持ち運べるＣＤフォルダーに関するものである。
【０００２】
【従来の技術】
単体のＣＤケースで見られる固定方法は突起物にはめ込むもので、ＣＤフォルダーに関してはナイロンなどの素材で作られた袋状のファイルに入れ、さらにそれをまとめてカバーで包み込むようなものが多い。
【０００３】
前者では指で中心を押してＣＤを外しながら取り出すという方法をとる。後者ではまずカバーを開き、中の袋状のファイルからＣＤの裏側に触れずに取り出さなければならない。いずれにしても使い慣れている人以外や幼い子供・老人、手の不自由な人または手が不自由な時には使いにくく、取り出しにくい。
【０００４】
従来のＣＤフォルダーではいくつかのＣＤをひとつにまとめ持ち運ぶもので、さらに単体に分けて持ち運べる機能がない。
【０００５】
【考案が解決しようとする課題】
解決しようとする問題点は、カバーで中のＣＤが一見できないこと、使用者の必要な分だけ分割して持ち運べないこと、またＣＤの固定方法に関して取り出しにくい・取り外しにくいという点である。
【０００６】
【課題を解決するための手段】
固定する素材を誰でも簡単に取り付け外しできるマジックテープにし、二枚の板でＣＤを挟む。ＣＤをカバーする板はポリプロピレン・アクリル・プラスチックなどの素材の透明なものにする。
【０００７】
【考案の実施の形態】
透明板はＣＤの形に合わせて円形にし、角をなくした。用途に合わせ見やすく使用できるように透明板自体の色分けをした。
【０００８】
中心のマジックテープにＣＤの中の穴に合わせてはめ込み、透明板で挟み開閉する。単体で使うときは、カードリングから外し取り出す。
【考案の効果】
以上説明したように本考案のＣＤフォルダーは、固定素材をマジックテープにすることによって開閉が容易になることと、透明板を使用することで中身のＣＤが一目でき、ＣＤに合わせた直径１４ｃｍという最低限の材料を使用することで、従来のＣＤケースやＣＤフォルダーに比べてフォルダーそのものに必要な材料の削減が可能である。
【図面の簡単な説明】
【図１】ＣＤフォルダーの構造図である。
【図２】ＣＤフォルダーの使用方法を示した説明図である。
【図３】ＣＤフォルダーの使用方法を示した説明図である。
【図４】ＣＤフォルダーの全体図である。
【符号の説明】
ａ　　　　　マジックテープ
ｂ　　　透孔
ｃ　　　　　透明板
【図１】
0003097631.tif 000003
【図２】
0003097631.tif 000004
【図３】
0003097631.tif 000005
【図４】
0003097631.tif 000006
【手続補正書】
【提出日】平成15年4月25日(2003.4.25)
【手続補正１】
【補正対象書類名】明細書
【補正対象項目名】全文
【補正方法】変更
【補正の内容】
【考案の詳細な説明】
【実用新案登録請求の範囲】
【請求項１】ＣＤを固定する中心部に面ファスナーを取り付けた複数の透明な板と、これらの透明な板を綴るためのカードリングとを備えたＣＤフォルダー。
【考案の詳細な説明】
【０００１】
【考案の属する技術分野】
本考案は、ＣＤを面ファスナーで固定すること、透明板で挟むことによって中のＣＤを一目でき、さらに単体で分割して持ち運べるＣＤフォルダーに関するものである。
【０００２】
【従来の技術】
単体のＣＤケースで見られる固定方法は突起物にはめ込むもので、ＣＤフォルダーに関してはナイロンなどの素材で作られた袋状のファイルに入れ、さらにそれをまとめてカバーで包み込むようなものが多い。
【０００３】
前者では指で中心を押してＣＤを外しながら取り出すという方法をとる。後者ではまずカバーを開き、中の袋状のファイルからＣＤの裏側に触れずに取り出さなければならない。いずれにしても使い慣れている人以外や幼い子供・老人、手の不自由な人または手が不自由な時には使いにくく、取り出しにくい。
【０００４】
従来のＣＤフォルダーではいくつかのＣＤをひとつにまとめ持ち運ぶもので、さらに単体に分けて持ち運べる機能がない。
【０００５】
【考案が解決しようとする課題】
解決しようとする問題点は、カバーで中のＣＤが一見できないこと、使用者の必要な分だけ分割して持ち運べないこと、またＣＤの固定方法に関して取り出しにくい・取り外しにくいという点である。
【０００６】
【課題を解決するための手段】
固定する素材を誰でも簡単に取り付け外しできる面ファスナーにし、二枚の板でＣＤを挟む。ＣＤをカバーする板はポリプロピレン・アクリル・プラスチックなどの素材の透明なものにする。
【０００７】
【考案の実施の形態】
透明板はＣＤの形に合わせて円形にし、角をなくした。用途に合わせ見やすく使用できるように透明板自体の色分けをした。
【０００８】
中心の面ファスナーにＣＤの中の穴に合わせてはめ込み、透明板で挟み開閉する。単体で使うときは、カードリングから外し取り出す。
【考案の効果】
以上説明したように本考案のＣＤフォルダーは、固定素材を面ファスナーにすることによって開閉が容易になることと、透明板を使用することで中身のＣＤが一目でき、ＣＤに合わせた直径１４ｃｍという最低限の材料を使用することで、従来のＣＤケースやＣＤフォルダーに比べてフォルダーそのものに必要な材料の削減が可能である。
【図面の簡単な説明】
【図１】ＣＤフォルダーの構造図である。
【図２・３】ＣＤフォルダーの使用方法を示した説明図である。
【図４】ＣＤフォルダーの全体図である。
【符号の説明】
ａ　　　　　面ファスナー
ｂ　　　透孔
ｃ　　　　　透明板
【手続補正書】
【提出日】平成15年7月4日(2003.7.4)
【手続補正１】
【補正対象書類名】明細書
【補正対象項目名】全文
【補正方法】変更
【補正の内容】
【考案の詳細な説明】
【実用新案登録請求の範囲】
【請求項１】ＣＤを固定する中心部に面ファスナーを取り付けた複数の透明な板と、これらの透明な板を綴るカードリングとを備えたＣＤフォルダー。
【考案の詳細な説明】
【０００１】
【考案の属する技術分野】
本考案は、ＣＤを面ファスナーで固定すること、透明板で挟むことによって中のＣＤを一目でき、さらに単体で分割して持ち運べるＣＤフォルダーに関するものである。
【０００２】
【従来の技術】
単体のＣＤケースで見られる固定方法は突起物にはめ込むもので、ＣＤフォルダーに関してはナイロンなどの素材で作られた袋状のファイルに入れ、さらにそれをまとめてカバーで包み込むようなものが多い。
【０００３】
前者では指で中心を押してＣＤを外しながら取り出すという方法をとる。後者ではまずカバーを開き、中の袋状のファイルからＣＤの裏側に触れずに取り出さなければならない。いずれにしても使い慣れている人以外や幼い子供・老人、手の不自由な人または手が不自由な時には使いにくく、取り出しにくい。
【０００４】
従来のＣＤフォルダーではいくつかのＣＤをひとつにまとめ持ち運ぶもので、さらに単体に分けて持ち運べる機能がない。
【０００５】
【考案が解決しようとする課題】
解決しようとする問題点は、カバーで中のＣＤが一見できないこと、使用者の必要な分だけ分割して持ち運べないこと、またＣＤの固定方法に関して取り出しにくい・取り外しにくいという点である。
【０００６】
【課題を解決するための手段】
固定する素材を誰でも簡単に取り付け外しできる面ファスナーにし、二枚の板でＣＤを挟む。ＣＤをカバーする板はポリプロピレン・アクリル・プラスチックなどの素材の透明なものにする。
【０００７】
【考案の実施の形態】
透明板はＣＤの形に合わせて円形にし、角をなくした。用途に合わせ見やすく使用できるように透明板自体の色分けをした。
【０００８】
中心の面ファスナーにＣＤの中の穴に合わせてはめ込み、透明板で挟み開閉する。単体で使うときは、カードリングから外し取り出す。
【０００９】
【考案の効果】
以上説明したように本考案のＣＤフォルダーは、固定素材を面ファスナーにすることによって開閉が容易になることと、透明板を使用することで中身のＣＤが一目でき、ＣＤに合わせた直径１４ｃｍという最低限の材料を使用することで、従来のＣＤケースやＣＤフォ
ルダーに比べてフォルダーそのものに必要な材料の削減が可能である。
【図面の簡単な説明】
【図１】ＣＤフォルダーの構造図である。
【図２】ＣＤフォルダーの使用方法を示した説明図である。
【図３】ＣＤフォルダーの使用方法を示した説明図である。
【図４】ＣＤフォルダーの全体図である。
【符号の説明】
ａ面ファスナー
ｂ　　透孔
ｃ透明板